(57)【要約】【課題】  主に炊飯前、炊飯器の内鍋を用いて米を研いだ後、排水時に使用する簡易かつ確実に固定し得る炊飯器等の水切り器具に関するものである。【解決手段】  炊飯器等の内鍋３０の開口面を形成するフランジ部３１の一部を覆うことが可能な略半月状の上板２Ａに、その内面には被洗浄物を透過し得ない透過率のろ過部３を形成し、上板２Ａの前記フランジ部３１側に面するように吸着手段２０を形成する。【選択図】  図１
2006150000.tif 000002
【特許請求の範囲】
【請求項１】
炊飯器等の内鍋（３０）の開口面を形成するフランジ部（３１）の一部を覆うことが可能な略半月状の上板（２Ａ）に、前記上板（２Ａ）の内方には被洗浄物を透過し得ない透過率のろ過部（３）を形成し、前記上板（２Ａ）の前記フランジ部（３１）側に面するように吸着層（２０）を形成したことを特長とする炊飯器等の水切り器具（１Ａ）。
【請求項２】
炊飯器等の内鍋（３０）の開口面を形成するフランジ部（３１）の一部を覆うことが可能な略半月状の上板（２Ａ）に、前記上板（２Ａ）の内方には被洗浄物を透過し得ない透過率のろ過部（３）を形成し、前記上板（２Ａ）の前記フランジ部（３１）側と反対の面に１以上の空洞を有する支持部（２１）を形成したことを特長とする炊飯器等の水切り器具（１Ｂ）。
【請求項３】
炊飯器等の内鍋（３０）の開口面を形成するフランジ部（３１）の一部を覆うことが可能な略半月状の上板（２Ｃ，２Ｄ，２Ｅ，２Ｆ，２Ｈ，２Ｉ）に、前記上板（２Ｃ，２Ｄ，２Ｅ，２Ｆ，２Ｈ，２Ｉ）の内方には被洗浄物を透過し得ない透過率のろ過部（３）と、前記上板（２Ｃ，２Ｄ，２Ｅ，２Ｆ，２Ｈ，２Ｉ）の放射方向に略矩形状の上取手（５Ｃ，５Ｄ，５Ｅ）と、を形成し、前記上板（２Ｃ，２Ｄ，２Ｅ，２Ｆ，２Ｈ，２Ｉ）と前記フランジ部（３１）を挟持し得る下板（４Ｃ，４Ｅ，４Ｆ，４Ｇ，４Ｈ）を備えた略矩形状の下取手（６Ｃ，６Ｄ，６Ｅ，６Ｆ）を形成し、前記上取手（５Ｃ，５Ｄ，５Ｅ）と前記下取手（６Ｃ，６Ｄ，６Ｅ，６Ｆ）にはそれぞれ開閉し得るように弾性力を伴い支持（７，８，９，１０）したことを特長とする炊飯器等の水切り器具（１Ｃ〜１Ｅ）。
【請求項４】
前記上板（２Ｆ，２Ｈ，２Ｉ）から前記内鍋（３０）に向かって突出した１以上の係止部（１５）を形成したことを特長とする請求項３記載の炊飯器等の水切り器具（１Ｆ〜１Ｊ）。
【発明の詳細な説明】
【技術分野】
【０００１】  本発明は、主に炊飯前、炊飯器の内鍋を用いて米を研いだ後、排水時に使用する簡易かつ確実に固定し得る炊飯器等の水切り器具に関するものである。
【背景技術】
【０００２】  従来、家庭用の炊飯器を使用する場合、ざる等を用いて水切りを行った米を炊飯器の内鍋に移し替えるか、内鍋を用いて中の米がこぼれないように手で遮りながら内鍋を傾けて行っている。
特許文献１には、炊飯器内鍋の開口面の一部を覆う形状を有するメッシュ構造部によって構成されていることを特徴とする炊飯器用水切り器具が開示されている。
また、特許文献２には、米を洗う時に、排水と同時に米までが流出するのを防ぎ、尚且つ様々な大きさの鍋にも適用できる洗米の流出防止装置が開示されている。
【特許文献１】  特開平７−２１３４２９号公報
【特許文献２】  特開平１１−２９０２２６号公報
【発明の開示】
【発明が解決しようとする課題】
【０００３】  一般に炊飯器の内鍋を用いて米を研ぐ際には、洗米と排水を幾度か繰り返さなければならないが、排水時に中の米がこぼれるのを防ぐため、内鍋を完全に排水できるまで傾けることが難しい。
そこで、特許文献のような器具が開示されているものの、固定に時間が掛かったり、排水時に器具が外れる等の問題が発生する恐れがある。
また、当該装置が外れることを恐れて、当該装置とともに結局食材に手を触れてしまうこととなり、衛生に敏感な層の支持が得られなくなる。
本発明は前述の問題点を解決し、簡易な構成で内鍋に装置を固定できるので、ほぼ完全に排水できると共に、洗米の回数を減らすことができる炊飯器等の水切り器具を提供するものである。
【課題を解決するための手段】
【０００４】  請求項１の炊飯器等の水切り器具１Ａは、炊飯器等の内鍋３０の開口面を形成するフランジ部３１の一部を覆うことが可能な略半月状の上板２Ａに、前記上板２Ａの内方には被洗浄物を透過し得ない透過率のろ過部３を形成し、前記上板２Ａの前記フランジ部３１側に面するように吸着層２０を形成する。【０００５】  請求項２の炊飯器等の水切り器具１Ｂは、炊飯器等の内鍋３０の開口面を形成するフランジ部３１の一部を覆うことが可能な略半月状の上板２Ａに、前記上板２Ａの内方には被洗浄物を透過し得ない透過率のろ過部３を形成し、前記上板２Ａの前記フランジ部３１側と反対の面に１以上の空洞を有する支持部２１を形成する。【０００６】  請求項３の炊飯器等の水切り器具１Ｃ〜１Ｅは、炊飯器等の内鍋３０の開口面を形成するフランジ部３１の一部を覆うことが可能な略半月状の上板（２Ｃ，２Ｄ，２Ｅ，２Ｆ，２Ｈ，２Ｉ）に、前記上板（２Ｃ，２Ｄ，２Ｅ，２Ｆ，２Ｈ，２Ｉ）の内方には被洗浄物を透過し得ない透過率のろ過部３と、前記上板（２Ｃ，２Ｄ，２Ｅ，２Ｆ，２Ｈ，２Ｉ）の放射方向に略矩形状の上取手（５Ｃ，５Ｄ，５Ｅ）と、を形成し、前記上板（２Ｃ，２Ｄ，２Ｅ，２Ｆ，２Ｈ，２Ｉ）と前記フランジ部３１を挟持し得る下板（４Ｃ，４Ｅ，４Ｆ，４Ｇ，４Ｈ）を備えた略矩形状の下取手（６Ｃ，６Ｄ，６Ｅ，６Ｆ）を形成し、前記上取手（５Ｃ，５Ｄ，５Ｅ）と前記下取手（６Ｃ，６Ｄ，６Ｅ，６Ｆ）にはそれぞれ開閉し得るように弾性力を伴い支持７，８，９，１０する。【０００７】  請求項４の水切り器具１Ｆ〜１Ｊは、前記上板（２Ｆ，２Ｈ，２Ｉ）から前記内鍋３０に向かって突出した１以上の係止部１５を形成する。
【発明の効果】
【０００８】  請求項１乃至請求項４の発明は、炊飯器等の内鍋３０のフランジ面３１により形成される開口面の一部を覆うように簡易な構成で内鍋に器具を固定できるので、手を添えずに排水時に容器を充分に傾けることができるので、衛生的にほぼ完全な排水できる。【０００９】  請求項１の発明は、吸着型の水切り器具１Ａで、上板２Ａに吸着層２０を一体的に形成したので、適用形状が限定されるものの、最も簡素で使い勝手のよいものである。【００１０】  請求項２の発明は、手支持型の水切り器具１Ｂで、上板２Ａに１以上の空洞を有する支持部２１を形成したので、衛生面では請求項１の発明に劣るものの、適用形状を気にせず指または掌で確実に固定できる。【００１１】  請求項３の発明は、挟み型の水切り器具１Ｃ〜１Ｅで、上板２Ｃ〜２Ｅと下板４Ｃ〜４Ｅで内鍋３０のフランジ面３１を挟持し得るように構成したので、衛生的かつ請求項１の発明よりも確実に固定できる。【００１２】  請求項４の発明は、係止部付挟み型水切り器具１Ｆ〜１Ｊで、上板２Ｆ，２Ｈ，２Ｉから前記内鍋３０に向かって突出した１以上の係止部１５を形成したので、請求項３のものよりも堅固に固定できる。
【実施例】
【００１３】  請求項１の発明について、図１乃至図３を用いて説明する。図１は請求項１の炊飯器等の水切り器具を炊飯器の内鍋に適用し、水切りを行っている状態を示す斜視図、図２は請求項１の炊飯器等の水切り器具の上面図で、図３は請求項１の炊飯器等の水切り器具の矢視Ａ−Ａ断面図である。
炊飯器等の水切り器具１Ａは吸着型の水切り器具で、炊飯器等の内鍋３０の開口面を形成するフランジ部３１の一部を覆うことが可能な樹脂等を主体とした略半月状の上板２Ａに、前記上板２Ａの内方には被洗浄物を透過し得ない透過率の網等でろ過部３を形成し、前記上板２Ａの前記フランジ部３１側に面するように磁石またはマイクロ吸盤等を用いた吸着層２０を形成し、フランジ部３１に吸着して被洗浄物４１の水切りを行うことができる。【００１４】  請求項２の発明について、図４乃至図５を用いて説明する。図４は請求項２の炊飯器等の水切り器具の上面図で、図５請求項２の炊飯器等の水切り器具の矢視Ｂ−Ｂ断面図である。
請求項２の炊飯器等の水切り器具１Ｂは手支持型の水切り器具で、炊飯器等の内鍋３０の開口面を形成するフランジ部３１の一部を覆うことが可能な樹脂等を主体とした略半月状の上板２Ａに、前記上板２Ａの内方には被洗浄物を透過し得ない透過率の網等でろ過部３を形成し、前記上板２Ａの前記フランジ部３１側と反対の面に１以上の指等を差し込み可能な樹脂管または掌で掌握可能な空洞を有する支持部２１を形成し、フランジ部３１に押え付けて水切りを行うことができる。【００１５】  請求項３の発明について、図６乃至図１１を用いて説明する。図６は請求項３の第１の実施例に基づく炊飯器等の水切り器具の上面図、図７は請求項３の第１の実施例に基づく炊飯器等の水切り器具の矢視Ｃ−Ｃ断面図、図８は請求項３の第２の実施例に基づく炊飯器等の水切り器具の上面図、図９請求項３の第２の実施例に基づく炊飯器等の水切り器具の矢視Ｄ−Ｄ断面図、図１０は請求項３の第３の実施例に基づく炊飯器等の水切り器具の上面図、図１１請求項３の第３の実施例に基づく炊飯器等の水切り器具の矢視Ｅ−Ｅ断面図である。【００１６】  請求項３の第１の実施例に基づく炊飯器等の水切り器具１Ｃは挟み型の水切り器具で、炊飯器等の内鍋３０の開口面を形成するフランジ部３１の一部を覆うことが可能な樹脂等を主体とした略半月状の上板２Ｃに、前記上板２Ｃの内方には被洗浄物を透過し得ない透過率の網等でろ過部３と、前記上板２Ｃの放射方向に略矩形状の上取手５Ｃと、を形成し、前記上板２Ｃと前記フランジ部３１を挟持し得る下板４Ｃを備えた略矩形状の下取手６Ｃを形成し、前記上取手５Ｃと前記下取手６Ｃにはそれぞれ開閉し得るように弾性力を伴うように、洗濯バサミと同様に上支持部７と下支持部８を形成し、板ばね１０またはコイルばね１０を介して支持軸９にて軸支されるので、フランジ部３１に押え付けて水切りを行うことができる。なお、図中の柔軟材２２はゴム等から成りすべり防止効果を増すことができ、本実施例に限定されるものではない。【００１７】  請求項３の第２の実施例に基づく炊飯器等の水切り器具１Ｄは挟み型の水切り器具で、上取手５Ｄと下取手６Ｄを台形状に形成して握りやすくし、上取手６Ｄに形成された磁石１２および穴１３は片付けに利用することができる。また、上板２Ｄにフランジ方向に延長された補強部１１を形成して、被洗浄物の重みによる歪みをとるものであり、これらは様々に組み合わせ可能である。【００１８】  請求項３の第３の実施例に基づく炊飯器等の水切り器具１Ｅは挟み型の水切り器具で、上取手５Ｅと下取手６Ｅを直角に折り曲げたもので、フランジ面３１に対する開口を広くとれ、内鍋３０への装着が容易になる。なお、使い勝手に合わせて自由な角度で形成することが出来る。【００１９】  請求項４の発明について、図１２乃至図２１を用いて説明する。図１２は請求項４の第１の実施例に基づく炊飯器等の水切り器具の上面図、図１３は請求項４の第１の実施例に基づく炊飯器等の水切り器具の矢視Ｆ−Ｆ断面図、図１４は請求項４の第２の実施例に基づく炊飯器等の水切り器具の上面図、図１５は請求項４の第２の実施例に基づく炊飯器等の水切り器具の矢視Ｇ−Ｇ断面図、図１６は請求項４の第３の実施例に��づく炊飯器等の水切り器具の上面図、図１７は請求項４の第３の実施例に基づく炊飯器等の水切り器具の矢視Ｈ−Ｈ断面図、図１８は請求項４の第４の実施例に基づく炊飯器等の水切り器具の上面図、図１９は請求項４の第４の実施例に基づく炊飯器等の水切り器具の矢視Ｉ−Ｉ断面図、図２０請求項４の第４の実施例に基づく炊飯器等の水切り器具の上面図、図２１は請求項４の第４の実施例に基づく炊飯器等の水切り器具の矢視Ｊ−Ｊ断面図である。【００２０】  請求項４の第１の実施例に基づく水切り器具１Ｆは係止部付挟み型水切り器具で、上板２Ｆから内鍋３０に向かって突出した１以上のプラスチック製の係止部１５を形成したので、請求項３のものよりも堅固に固定できる。
また、下板４Ｆに略円筒凸部１４を設けてもよく、平行フランジ部３１Ａ周縁に返し加工がある場合は特に確実に固定できる。【００２１】  請求項４の第２の実施例の発明は、フランジ周辺に延長された下板４Ｇにより強固に固定できるものである。【００２２】  請求項４の第３の実施例の発明は、フランジ周辺に延長された一部切欠きを有する下板４Ｈにより強固に固定できるものである。【００２３】  請求項４の第４の実施例の発明は、上板２Ｉに複数の係止部１５と上取手５Ｅと下取手６Ｅを直角に折り曲げたものである。【００２４】  請求項４の第５の実施例の発明は、上板２Ｉに角度のある末広フランジ部３１Ｈを係合し得るものである。【００２５】  ろ過部３は、図２２乃至図２３に示すように、網３Ａのみでも、樹脂製の凸部３Ｂを不規則に網３Ａに形成してもよく、その場合は米等の被洗浄物４１の付着を防止することができる。
【図面の簡単な説明】
【００２５】
【図１】  請求項１の炊飯器等の水切り器具を炊飯器の内鍋に適用し、水切りを行っている状態を示す斜視図である。
【図２】  請求項１の炊飯器等の水切り器具の上面図である。
【図３】  請求項１の炊飯器等の水切り器具の矢視Ａ−Ａ断面図である。
【図４】  請求項２の炊飯器等の水切り器具の上面図である。
【図５】  請求項２の炊飯器等の水切り器具の矢視Ｂ−Ｂ断面図である。
【図６】  請求項３の第１の実施例に基づく炊飯器等の水切り器具の上面図である。
【図７】  請求項３の第１の実施例に基づく炊飯器等の水切り器具の矢視Ｃ−Ｃ断面図である。
【図８】  請求項３の第２の実施例に基づく炊飯器等の水切り器具の上面図である。
【図９】  請求項３の第２の実施例に基づく炊飯器等の水切り器具の矢視Ｄ−Ｄ断面図である。
【図１０】  請求項３の第３の実施例に基づく炊飯器等の水切り器具の上面図である。
【図１１】  請求項３の第３の実施例に基づく炊飯器等の水切り器具の矢視Ｅ−Ｅ断面図である。
【図１２】  請求項４の第１の実施例に基づく炊飯器等の水切り器具の上面図である。
【図１３】  請求項４の第１の実施例に基づく炊飯器等の水切り器具の矢視Ｆ−Ｆ断面図である。
【図１４】  請求項４の第２の実施例に基づく炊飯器等の水切り器具の上面図である。
【図１５】  請求項４の第２の実施例に基づく炊飯器等の水切り器具の矢視Ｇ−Ｇ断面図である。
【図１６】  請求項４の第３の実施例に基づく炊飯器等の水切り器具の上面図である。
【図１７】  請求項４の第３の実施例に基づく炊飯器等の水切り器具の矢視Ｈ−Ｈ断面図である。
【図１８】  請求項４の第４の実施例に基づく炊飯器等の水切り器具の上面図である。
【図１９】  請求項４の第４の実施例に基づく炊飯器等の水切り器具の矢視Ｉ−Ｉ断面図である。
【図２０】  請求項４の第４の実施例に基づく炊飯器等の水切り器具の上面図である。
【図２１】  請求項４の第４の実施例に基づく炊飯器等の水切り器具の矢視Ｊ−Ｊ断面図である。
【図２２】  ろ過部３の正面図である。
【図２３】  図２２の矢視Ｋ−Ｋ断面図である。
【符号の説明】
【００２６】  １    水切り器具（１Ａ〜１Ｊ）
１Ａ  吸着型水切り器具
１Ｂ  手支持型水切り器具
１Ｃ〜１Ｅ  挟み型水切り器具
１Ｆ〜１Ｊ  係止部付挟み型水切り器具
２Ａ  上板
２Ｃ〜２Ｆ  上板
２Ｈ，２Ｉ  上板
３    ろ過部
３Ａ  網
３Ｂ  凸部
４Ｃ  下板
４Ｅ〜４Ｈ  下板
５Ｃ〜５Ｅ  上取手
６Ｃ〜６Ｆ  下取手
７    上支持部
８    下支持部
９    支持軸
１０    ばね
１１    補強部
１２    磁石
１３    穴
１４    凸部
１５    係止部
２０    吸着層
２１    支持部
２２    柔軟材
３０    内鍋
３１    フランジ部（３１Ａまたは３１Ｈ）
３１Ａ  平行フランジ部
３１Ｈ  末広フランジ部
４０    水面
４１    被洗浄物
【図１】
2006150000.tif 000003
【図２】
2006150000.tif 000004
【図３】
2006150000.tif 000005
【図４】
2006150000.tif 000006
【図５】
2006150000.tif 000007
【図６】
2006150000.tif 000008
【図７】
2006150000.tif 000009
【図８】
2006150000.tif 000010
【図９】
2006150000.tif 000011
【図１０】
2006150000.tif 000012
【図１１】
2006150000.tif 000013
【図１２】
2006150000.tif 000014
【図１３】
2006150000.tif 000015
【図１４】
2006150000.tif 000016
【図１５】
2006150000.tif 000017
【図１６】
2006150000.tif 000018
【図１７】
2006150000.tif 000019
【図１８】
2006150000.tif 000020
【図１９】
2006150000.tif 000021
【図２０】
2006150000.tif 000022
【図２１】
2006150000.tif 000023
【図２２】
2006150000.tif 000024
【図２３】
2006150000.tif 000025